【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
Ｒ１３４ａ  １０〜２５％
Ｒ１２５    ７９．９〜３０％
Ｒ１４３ａ  １０〜３０％
からなるハイドロフルオロカーボン成分、ならびに
０．３〜４％の量で存在する２−メチルプロパン、ｎ−ブタン及びそれらの混合物からなる群より選択される炭化水素添加物
から本質的になる冷媒組成物。
【請求項２】
Ｒ１３４ａ          １４〜１７％
Ｒ１２５            ７１．４〜５９％
Ｒ１４３ａ          １４〜２０％
ブタン              ０．３〜４％
２−メチルプロパン  ０．６〜４％
から本質的になる、請求項１記載の冷媒組成物。
【請求項３】
ハイドロフルオロカーボン成分が、
Ｒ１３４ａ  １４〜１６％
Ｒ１２５    ６０．２〜６９．２％
Ｒ１４３ａ  １６．２〜１９．８％
から本質的になる、請求項１記載の冷媒組成物。
【請求項４】
Ｒ１３４ａ          １６．２％
Ｒ１２５            ６３％
Ｒ１４３ａ          １８％
２−メチルプロパン  ２．８％
から本質的になる、請求項１記載の冷媒組成物。
【請求項５】
下記の組成物：
（ｉ）     Ｒ１３４ａ          １５．７％
Ｒ１２５            ６３％
Ｒ１４３ａ          １８％
２−メチルプロパン  ３．３％
（ii）     Ｒ１３４ａ          １５．８％
Ｒ１２５            ６３％
Ｒ１４３ａ          １８％
２−メチルプロパン  ３．２％
（iii）    Ｒ１３４ａ          １５．９％
Ｒ１２５            ６３％
Ｒ１４３ａ          １８％
２−メチルプロパン  ３．１％
（iv）     Ｒ１３４ａ          １６％
Ｒ１２５            ６３％
Ｒ１４３ａ          １８％
２−メチルプロパン  ３％
（ｖ）     Ｒ１３４ａ          １６．１％
Ｒ１２５            ６３％
Ｒ１４３ａ          １８％
２−メチルプロパン  ２．９％
（vi）     Ｒ１３４ａ          １６．３％
Ｒ１２５            ６３％
Ｒ１４３ａ          １８％
２−メチルプロパン  ２．７％
（vii）    Ｒ１３４ａ          １６．４％
Ｒ１２５            ６３％
Ｒ１４３ａ          １８％
２−メチルプロパン  ２．６％
（viii）   Ｒ１３４ａ          １６．５％
Ｒ１２５            ６３％
Ｒ１４３ａ          １８％
２−メチルプロパン  ２．５％
（ix）     Ｒ１３４ａ          １６％
Ｒ１２５            ６４％
Ｒ１４３ａ          １８％
２−メチルプロパン  ２％
（ｘ）     Ｒ１３４ａ          １５．７％
Ｒ１２５            ６５％
Ｒ１４３ａ          １６％
２−メチルプロパン  ３．３％
（xi）     Ｒ１３４ａ          １５．８％
Ｒ１２５            ６５％
Ｒ１４３ａ          １６％
２−メチルプロパン  ３．２％
（xii）    Ｒ１３４ａ          １５．９％
Ｒ１２５            ６５％
Ｒ１４３ａ          １６％
２−メチルプロパン  ３．１％
（xiii）   Ｒ１３４ａ          １６％
Ｒ１２５            ６５％
Ｒ１４３ａ          １６％
２−メチルプロパン  ３％
（xiv）    Ｒ１３４ａ          １６．１％
Ｒ１２５            ６５％
Ｒ１４３ａ          １６％
２−メチルプロパン  ２．９％
（xv）     Ｒ１３４ａ          １６．２％
Ｒ１２５            ６５％
Ｒ１４３ａ          １６％
２−メチルプロパン  ２．８％
（xvi）    Ｒ１３４ａ          １６．３％
Ｒ１２５            ６５％
Ｒ１４３ａ          １６％
２−メチルプロパン  ２．７％
（xvii）   Ｒ１３４ａ          １６．４％
Ｒ１２５            ６５％
Ｒ１４３ａ          １６％
２−メチルプロパン  ２．６％
（xviii）  Ｒ１３４ａ          １６．５％
Ｒ１２５            ６５％
Ｒ１４３ａ          １６％
２−メチルプロパン  ２．５％
（xix）    Ｒ１３４ａ          １５．７％
Ｒ１２５            ６７％
Ｒ１４３ａ          １４％
２−メチルプロパン  ３．３％
（xx）     Ｒ１３４ａ          １５．８％
Ｒ１２５            ６７％
Ｒ１４３ａ          １４％
２−メチルプロパン  ３．２％
（xxi）    Ｒ１３４ａ          １５．９％
Ｒ１２５            ６７％
Ｒ１４３ａ          １４％
２−メチルプロパン  ３．１％
（xxii）   Ｒ１３４ａ          １６％
Ｒ１２５            ６７％
Ｒ１４３ａ          １４％
２−メチルプロパン  ３％
（xxiii）  Ｒ１３４ａ          １６．１％
Ｒ１２５            ６７％
Ｒ１４３ａ          １４％
２−メチルプロパン  ２．９％
（xxiv）   Ｒ１３４ａ          １６．２％
Ｒ１２５            ６７％
Ｒ１４３ａ          １４％
２−メチルプロパン  ２．８％
（xxv）    Ｒ１３４ａ          １６．３％
Ｒ１２５            ６７％
Ｒ１４３ａ          １４％
２−メチルプロパン  ２．７％
（xxvi）   Ｒ１３４ａ          １６．４％
Ｒ１２５            ６７％
Ｒ１４３ａ          １４％
２−メチルプロパン  ２．６％
（xxvii）  Ｒ１３４ａ          １６．５％
Ｒ１２５            ６７％
Ｒ１４３ａ          １４％
２−メチルプロパン  ２．５％
のいずれか１つから本質的になる、請求項１記載の冷媒組成物。
【請求項６】
Ｒ１３４ａ          １０〜２５％
Ｒ１２５            ７４．７〜４６％
Ｒ１４３ａ          １５〜２５％
ブタン              ０．３〜４％
から本質的になる、請求項１記載の冷媒組成物。
【請求項７】
Ｒ１３４ａ          １０〜２５％
Ｒ１２５            ７４．７〜４６％
Ｒ１４３ａ          １５〜２５％
２−メチルプロパン  ０．３〜４％
から本質的になる、請求項１記載の冷媒組成物。
【請求項８】
Ｒ１３４ａ          １０〜３５％
Ｒ１２５            ７９．８〜２５％
Ｒ１４３ａ          １０〜３０％
ブタン              ０．１〜５％
２−メチルプロパン  ０．１〜５％
から本質的になる、請求項１記載の冷媒組成物。
【請求項９】
Ｒ１３４ａ          １０〜２５％
Ｒ１２５            ７４．４〜４２％
Ｒ１４３ａ          １５〜２５％
ブタン              ０．３〜４％
２−メチルプロパン  ０．３〜４％
から本質的になる、請求項１記載の冷媒組成物。
【請求項１０】
ＡＳＨＲＡＥ規格３４によって指定される条件下で漏れさせた場合、５重量％を超える炭化水素含有率を有する液体又は蒸気混合物を生成しない、請求項１〜９のいずれか１項記載の組成物。
【請求項１１】
ＡＳＨＲＡＥ規格３４によって指定される条件下で漏れさせた場合、４重量％を超える炭化水素含有率を有する液体又は蒸気混合物を生成しない、請求項１〜９のいずれか１項記載の組成物。
【請求項１２】
等温蒸気下の組成物が２３℃で漏れた場合、炭化水素の重量％が０．５％以下しか変化しない、請求項１〜９のいずれか１項記載の組成物。
【請求項１３】
ミネラルオイル若しくはアルキルベンゼンオイル含有潤滑剤、合成炭化水素含有潤滑剤又は合成酸素含有潤滑剤を有する、空調ユニット又は冷凍ユニットで使用される、請求項１〜１２のいずれか１項記載の冷媒組成物。
【請求項１４】
潤滑剤が炭化水素含有潤滑剤と酸素含有潤滑剤との混合物である、空調ユニット又は冷凍ユニットで使用される、請求項１〜１２のいずれか１項記載の冷媒組成物。
【請求項１５】
潤滑剤が炭化水素潤滑剤と酸素含有潤滑剤との混合物である、冷凍ユニットで使用される、請求項１〜１２のいずれか１項記載の冷媒組成物。